(57)【要約】【課題】電波識別タグが提供される。パッケージング構造物に外部圧力が加えられない状態では、アンテナからの電力及びデータを伝達する導線が空気層によって電波識別チップと離隔される。反面、パッケージング構造物に外部圧力が加えられると、導線が電波識別チップに連結されて、アンテナ及び電波識別チップの間に電力及びデータを伝達する。【解決手段】電波識別タグは、電波識別リーダーから受信される信号から電力を生成するアンテナと、第１端がアンテナに連結され、第２端が断絶された導線と、前記電力を利用して前記電波識別リーダーとデータを送受信する電波識別チップと、前記アンテナ、前記導線、及び前記電波識別チップを内蔵するパッケージング構造物と、を含み、前記パッケージング構造物に外部圧力が加えられない状態では、前記導線及び前記電波識別チップが空気層によって離隔され、前記パッケージング構造物に外部圧力が加えられると、前記導線の一部領域が前記電波識別チップに連結される。【選択図】図１
2010134902.tif 000002
【特許請求の範囲】
【請求項１】
電波識別リーダーから受信される信号から電力を生成するアンテナと、
第１端がアンテナに連結され、第２端が断絶された導線と、
前記電力を利用して前記電波識別リーダーとデータを送受信する電波識別チップと、
前記アンテナ、前記導線、及び前記電波識別チップを内蔵するパッケージング構造物と、を含み、
前記パッケージング構造物に外部圧力が加えられない状態では、前記導線及び前記電波識別チップが空気層によって離隔され、前記パッケージング構造物に外部圧力が加えられると、前記導線の一部領域が前記電波識別チップに連結される
ことを特徴とする、電波識別タグ。
【請求項２】
外部圧力によって折曲げられた前記パッケージング構造物の一部領域が前記導線の一部領域を加圧して、前記導線の一部領域が前記電波識別チップに連結される
ことを特徴とする、請求項１に記載の電波識別タグ。
【請求項３】
前記導線の第１面は、前記パッケージング構造物の一部領域と接着されて、外部圧力が加えられる状態が中止されると、前記折曲げられたパッケージング構造物の一部領域が復元されて、前記導線が前記電波識別チップと離隔される
ことを特徴とする、請求項２に記載の電波識別タグ。
【請求項４】
電波識別リーダーから受信される信号から電力を生成するアンテナと、
第１端がアンテナに連結され、第２端が断絶された第１導線と、
前記電力を利用して前記電波識別リーダーとデータを送受信する電波識別チップと、
第１端が前記電波識別チップに連結され、第２端が断絶された第２導線と、
前記アンテナ、前記第１導線、前記第２導線、及び前記電波識別チップを内蔵するパッケージング構造物と、を含み、
前記パッケージング構造物に外部圧力が加えられない状態では、前記第１導線及び前記第２導線が空気層によって離隔され、前記パッケージング構造物に外部圧力が加えられると、前記第１導線の一部領域が前記第２導線に連結される
ことを特徴とする、電波識別タグ。
【請求項５】
電波識別リーダーから受信される信号から電力を生成するアンテナと、
第１端がアンテナに連結され、第２端が断絶された導線と、
前記電力を利用して前記電波識別リーダーとデータを送受信する電波識別チップと、
弾性を有する物質から構成された弾性体と、
前記アンテナ、前記導線、前記電波識別チップ、及び前記弾性体を内蔵するパッケージング構造物と、を含み、
前記パッケージング構造物に外部圧力が加えられない状態では、前記導線及び前記電波識別チップが前記弾性体によって離隔され、前記パッケージング構造物に外部圧力が加えられると、前記導線の一部領域が前記電波識別チップに連結される
ことを特徴とする、電波識別タグ。
【発明の詳細な説明】
【技術分野】
【０００１】
本発明は、電波識別タグに関する。特に、カード形態の電波識別タグに関する。
【背景技術】
【０００２】
従来の電波識別（Ｒａｄｉｏ Ｆｒｅｑｕｅｎｃｙ Ｉｄｅｎｔｉｆｉｃａｔｉｏｎ、以下、ＲＦＩＤと称する）チップ、特に、それ自体が電源を有していない受動型ＲＦＩＤチップは、最小限のコンピューティング及び通信能力だけが備えられ、保安機能が備えられていないので、ハッキングに簡単に露出される。つまり、ＲＦＩＤリーダー及び簡単なハッキング攻撃方法だけでチップをハッキングすることができ、ＲＦＩＤタグを所持している個人使用者のプライバシーを侵害する問題が発生した。
【０００３】
特に、ＲＦＩＤタグを個人識別のためのカード形態の身分証分野に適用する場合、ＲＦＩＤタグを利用して個々人を認識することが可能で、連続的な認識による個人の位置追跡まで可能であるため、多様なプライバシーの問題が発生した。
【発明の概要】
【発明が解決しようとする課題】
【０００４】
本発明が目的とする技術的課題は、ＲＦＩＤタグの利用時に保安性を強化して、個人のプライバシーの侵害を防止することができる、ＲＦＩＤタグを提供することにある。
【課題を解決するための手段】
【０００５】
前記目的を達成するための本発明の特徴による電波識別タグは、電波識別リーダーから受信される信号から電力を生成するアンテナと、第１端がアンテナに連結され、第２端が断絶された導線と、前記電力を利用して前記電波識別リーダーとデータを送受信する電波識別チップと、前記アンテナ、前記導線、及び前記電波識別チップを内蔵するパッケージング構造物と、を含み、前記パッケージング構造物に外部圧力が加えられない状態では、前記導線及び前記電波識別チップが空気層によって離隔され、前記パッケージング構造物に外部圧力が加えられると、前記導線の一部領域が前記電波識別チップに連結される。
【０００６】
また、本発明の他の特徴による電波識別タグは、電波識別リーダーから受信される信号から電力を生成するアンテナと、第１端がアンテナに連結され、第２端が断絶された第１導線と、前記電力を利用して前記電波識別リーダーとデータを送受信する電波識別チップと、第１端が前記電波識別チップに連結され、第２端が断絶された第２導線と、前記アンテナ、前記第１導線、前記第２導線、及び前記電波識別チップを内蔵するパッケージング構造物と、を含み、前記パッケージング構造物に外部圧力が加えられない状態では、前記第１導線及び前記第２導線が空気層によって離隔され、前記パッケージング構造物に外部圧力が加えられると、前記第１導線の一部領域が前記第２導線に連結される。
【０００７】
また、本発明のまた他の特徴による電波識別タグは、電波識別リーダーから受信される信号から電力を生成するアンテナと、第１端がアンテナに連結され、第２端が断絶された導線と、前記電力を利用して前記電波識別リーダーとデータを送受信する電波識別チップと、弾性を有する物質から構成された弾性体と、前記アンテナ、前記導線、前記電波識別チップ、及び前記弾性体を内蔵するパッケージング構造物と、を含み、前記パッケージング構造物に外部圧力が加えられない状態では、前記導線及び前記電波識別チップが前記弾性体によって離隔され、前記パッケージング構造物に外部圧力が加えられると、前記導線の一部領域が前記電波識別チップに連結される。
【発明の効果】
【０００８】
本発明によれば、ＲＦＩＤタグの利用時にＲＦＩＤタグ及びＲＦＩＤリーダーの間の不必要な通信を減少させ、これによってハッキングからカード情報を保護する保安性を強化して、個人のプライバシーの侵害を防止する効果がある。
【図面の簡単な説明】
【０００９】
【図１】本発明の実施例によるカード形態のＲＦＩＤタグの内部構造を示した構造図であって、受動型ＲＦＩＤタグを示したものである。
【図２】本発明の実施例によるＲＦＩＤタグカードの側面図であって、ＲＦＩＤチップ及びＲＦＩＤリーダーの間の通信が不活性化された状態を示した図面である。
【図３】本発明の実施例によるＲＦＩＤタグカードの側面図であって、ＲＦＩＤチップ及びＲＦＩＤリーダーの間の通信が活性化された状態を示した図面である。
【図４】本発明の実施例によるＲＦＩＤタグカードの側面図であって、ＲＦＩＤチップ及びＲＦＩＤリーダーの間の通信が活性化された状態を示した図面である。
【図５】本発明の実施例による弾性体を含むＲＦＩＤタグカードの側面図である。
【発明を実施するための形態】
【００１０】
以下、添付した図面を参照して、本発明の実施例について、本発明が属する技術分野で通常の知識を有する者が容易に実施することができるように詳細に説明する。しかし、本発明は多様な相異した形態に具現され、ここで説明する実施例に限定されない。そして、図面では、本発明を明確に説明するために、説明に不必要な部分は省略し、明細書全体を通して類似した部分には、類似した図面符号を使用した。
【００１１】
明細書全体を通して、ある部分が他の部分と「連結」されているとする時、これは「直接的に連結」されている場合だけでなく、その間に他の素子をおいて「電気的に連結」されている場合も含む。
【００１２】
明細書全体を通して、ある部分がある構成要素を「含む」とする時、これは特に反対になる記載がない限り、他の構成要素を除外するのではなく、他の構成要素をさらに含むことができることを意味する。
【００１３】
以下では、本発明の実施例によるＲＦＩＤタグについて、図面を参照して詳細に説明する。
【００１４】
図１は本発明の実施例によるカード形態のＲＦＩＤタグの内部構造を示した構造図であって、受動型ＲＦＩＤタグを示したものである。
【００１５】
ＲＦＩＤタグ１００は、アンテナ１１０、導線１２０、ＲＦＩＤチップ１３０、及びパッケージング構造物１４０を含む。
【００１６】
アンテナ１１０は、ＲＦＩＤリーダー（図示せず）から受信される信号から生成された電力及び受信される信号に含まれているデータを出力する。このようなアンテナ１１０は、受信される信号からＲＦＩＤチップ１３０を駆動する電力を生成するために、所定の磁気力を発生させる伝導性物質がパッケージング構造物１４０の内部に円形または四角形の螺旋をなしてパターニングされて構成される。
【００１７】
導線１２０は、アンテナ１１０から出力される電力及びデータを伝達する伝導性物質であって、パッケージング構造物１４０の内部に位置して、第１端はアンテナ１１０に連結され、第２端は断絶されている。
【００１８】
ＲＦＩＤチップ１３０は、アンテナ１１０で生成された電力を利用してＲＦＩＤリーダーとデータを送受信して、パッケージング構造物１４０の内部に位置する。
【００１９】
そして、本発明の実施例では、導線１２０及びＲＦＩＤチップ１３０は、パッケージング構造物１４０に外部圧力が加えられない状態では、空気層１５０によって互いに離隔される。反面、パッケージング構造物１４０に外部圧力が加えられると、導線１２０の一部領域がＲＦＩＤチップ１３０に連結されて、アンテナ１１０から出力される電力及びデータがＲＦＩＤチップ１３０に伝達される。一方、本発明の実施例では、外部圧力が使用者がパッケージング構造物１４０の外部を指で押すことによって発生する圧力である場合を例に挙げて説明するが、本発明は、他の形態でパッケージング構造物１４０の外部に加えられる圧力も外部圧力として利用することが可能である。
【００２０】
パッケージング構造物１４０は、アンテナ１１０、導線１２０、ＲＦＩＤチップ１３０を内蔵して成形された構造物であって、適用分野によって多様な形態及び材質から構成される。例えば、ＲＦＩＤタグをカード形態の身分証に適用する場合には、平たい板型に製作される。一方、本発明の実施例では、パッケージング構造物１４０を形成する方法として成形を例に挙げて説明するが、本発明はこれに限定されず、本発明は、他の方法でパッケージング構造物１４０を形成することも可能である。
【００２１】
本発明の実施例では、パッケージング構造物１４０の定められた領域に外部圧力が加えられる場合に、当該領域が折曲げられて導線１２０の一部領域がＲＦＩＤチップ１３０に連結されるように、導線１２０の一部領域を加圧する。反面、外部圧力が加えられる状態が中止されると、パッケージング構造物１４０の弾性によって以前の状態に復元されて、導線１２０がＲＦＩＤチップ１３０と離隔されるように、導線１２０の一部領域に対する加圧が中止される。この場合、導線１２０の上端面がパッケージング構造物１４０と接着してパッケージング構造物１４０が復元されて、導線１２０も外部圧力が加えられる以前の状態に復元されるように設計する。
【００２２】
前記のように、本発明の実施例では、ＲＦＩＤタグ１００を使用する時にだけパッケージング構造物１４０に外部圧力を加えてＲＦＩＤチップ１３０を活性化し、ＲＦＩＤタグ１００を使用しない時にはＲＦＩＤチップ１３０に伝達される電力及びデータを遮断して、ＲＦＩＤタグ１００及びＲＦＩＤリーダーの間の不必要な通信を防止することができる。
【００２３】
図２は本発明の実施例によるＲＦＩＤタグカードの側面図であって、ＲＦＩＤチップ及びＲＦＩＤリーダーの間の通信が不活性化された状態を示す。
【００２４】
図２を参照すれば、外部圧力が加えられない状態では、導線１２０の第２端に相当する一部領域がパッケージング構造物１４０の内部で空気層１５０を間においてＲＦＩＤチップ１３０と水平に位置する。したがって、導線１２０及びＲＦＩＤチップ１３０は空気層１５０によって互いに離隔される。
【００２５】
図３及び図４は本発明の実施例によるＲＦＩＤタグカードの側面図であって、ＲＦＩＤチップ及びＲＦＩＤリーダーの間の通信が活性化された状態を示す。また、図５は本発明の実施例による弾性体を含むＲＦＩＤタグカードの側面図であって、外部圧力が加えられない状態及び外部圧力が加えられた状態を各々示す。
【００２６】
図３を参照すれば、パッケージング構造物１４０に外部圧力が加えられて、一部領域１４１に折曲がりが発生する。そして、折曲がりが発生した一部領域１４１が導線１２０を加圧して、導線１２０の一部領域１２１がＲＦＩＤチップ１３０に連結されるようにする。
【００２７】
一方、本発明の実施例では、図３に示されているように、パッケージング構造物１４０に加えられる外部圧力によって導線１２０がＲＦＩＤチップ１３０に直接連結される場合を例に挙げて説明するが、これは本発明を限定するものではなく、本発明は、他の形態にも具現が可能である。例えば、図４に示されているように、外部圧力が加えられると、第１端がＲＦＩＤチップ１３０に連結されて第２端が断絶された他の導線１６０に、導線１２０の一部領域１２１が連結されるように設計することも可能である。この場合、ＲＦＩＤチップ１３０に外部圧力が直接加えられるのを防止して、加圧によって発生するＲＦＩＤチップ１３０の損傷を防止する効果がある。
【００２８】
また、本発明の実施例では、図２乃至図４に示されているように、外部圧力が加えられる状態が中止されると、パッケージング構造物１４０の弾性によって以前の状態に復元されて導線１２０に対する加圧が中止されて、導線１２０がＲＦＩＤチップ１３０と離隔されることを例に挙げて説明するが、これは本発明を限定するものではなく、本発明は、他の形態にも具現が可能である。例えば、図５に示されているように、外部圧力が加えられる状態が中止されると、パッケージング構造物１４０に内蔵された弾性体１７０の弾性によって外部圧力と反対方向に導線１２０を加圧して、導線１２０がＲＦＩＤチップ１３０と離隔されるように設計することも可能である。この場合、頻繁な加圧によって、外部圧力が加えられない状態でも導線１２０がＲＦＩＤチップ１３０に連結される問題を防止する効果がある。ここで、弾性体１７０は、ばねやゴムなどの弾性を有する物質を意味する。
【００２９】
以上で説明した本発明の実施例は、装置及び方法を通してのみ具現されるものではなく、本発明の実施例の構成に対応する機能を具現するプログラムまたはそのプログラムが記録された記録媒体を通して具現されることもでき、これは、前記で説明した実施例の記載から、本発明が属する技術分野の専門家であれば容易に具現することができるものである。
【００３０】
以上で、本発明の実施例について詳細に説明したが、本発明の権利範囲はこれに限定されず、請求の範囲で定義している本発明の基本概念を利用した当業者の多様な変形及び改良形態も本発明の権利範囲に属する。
【符号の説明】
【００３１】
１００  ＲＦＩＤタグ
１１０  アンテナ
１２０  導線
１３０  ＲＦＩＤチップ
１４０  パッケージング構造物
１５０  空気層
１６０  導線
１７０  弾性体
【図１】
2010134902.tif 000003
【図２】
2010134902.tif 000004
【図３】
2010134902.tif 000005
【図４】
2010134902.tif 000006
【図５】
2010134902.tif 000007